(57)【特許請求の範囲】
【請求項１】
リレーノードのアタッチ処理において、無線基地局と該リレーノードとの間で無線ベアラを設定する工程と、
前記無線基地局が、前記リレーノードに対して、設定する複数の無線ベアラの各無線ベアラについて、データ無線ベアラを特定する情報及び該データ無線ベアラがインテグリティプロテクションを行う必要があるか否かを示すフラグを「ＲＲＣ  Ｃｏｎｎｅｃｔｉｏｎ  Ｒｅｃｏｎｆｉｇｕｒａｔｉｏｎ」内の設定可能な情報要素を用いて通知する工程と、
前記リレーノードが、前記「ＲＲＣ  Ｃｏｎｎｅｃｔｉｏｎ  Ｒｅｃｏｎｆｉｇｕｒａｔｉｏｎ」によって通知された前記フラグを参照して、インテグリティプロテクションを行う必要があるデータ無線ベアラについて、インテグリティプロテクションの鍵を生成する工程と、
前記リレーノードのアタッチ処理で行われるセキュリティモードコマンド処理において、前記無線基地局が、インテグリティプロテクションを行う必要がある前記データ無線ベアラについて、インテグリティプロテクションを行うための鍵を生成する工程とを含むことを特徴とする移動通信方法。
【請求項２】
リレーノートと無線基地局とを具備する移動通信システムであって、
前記リレーノードのアタッチ処理において、前記無線基地局と該リレーノードとの間で無線ベアラを設定するように構成されており、
前記無線基地局は、前記リレーノードに対して、設定する複数の無線ベアラの各無線ベアラについて、データ無線ベアラを特定する情報及び該データ無線ベアラがインテグリティプロテクションを行う必要があるか否かを示すフラグを「ＲＲＣ  Ｃｏｎｎｅｃｔｉｏｎ  Ｒｅｃｏｎｆｉｇｕｒａｔｉｏｎ」内の設定可能な情報要素を用いて通知するように構成されており、
前記リレーノードは、前記「ＲＲＣ  Ｃｏｎｎｅｃｔｉｏｎ  Ｒｅｃｏｎｆｉｇｕｒａｔｉｏｎ」によって通知された前記フラグを参照して、インテグリティプロテクションを行う必要があるデータ無線ベアラについて、インテグリティプロテクションの鍵を生成するように構成されており、
前記リレーノードのアタッチ処理で行われるセキュリティモードコマンド処理において、前記無線基地局は、インテグリティプロテクションを行う必要がある前記データ無線ベアラについて、インテグリティプロテクションを行うための鍵を生成するように構成されていることを特徴とする移動通信システム。
【請求項３】
リレーノードのアタッチ処理において、該リレーノードとの間で無線ベアラを設定するように構成されている無線基地局であって、
前記リレーノードに対して、設定する複数の無線ベアラの各無線ベアラについて、データ無線ベアラを特定する情報及び該データ無線ベアラがインテグリティプロテクションを行う必要があるか否かを示すフラグを「ＲＲＣ  Ｃｏｎｎｅｃｔｉｏｎ  Ｒｅｃｏｎｆｉｇｕｒａｔｉｏｎ」内の設定可能な情報要素を用いて通知するように構成されており、
前記リレーノードのアタッチ処理で行われるセキュリティモードコマンド処理において、インテグリティプロテクションを行う必要がある前記データ無線ベアラについて、インテグリティプロテクションを行うための鍵を生成するように構成されていることを特徴とする無線基地局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式では、無線基地局ＤｅＮＢ（Ｄｏｎｅｒ  ｅＮＢ）に対して、Ｕｎインターフェイスを介して接続可能なリレーノードＲＮ（Ｒｅｌａｙ  Ｎｏｄｅ）を用いることができる。
【０００３】
リレーノードＲＮは、Ｕｎインターフェイスを介して無線基地局ＤｅＮＢとの間で無線通信を行い、Ｕｕインターフェイスを介して移動局ＵＥとの間で無線通信を行うように構成されている。
【先行技術文献】
【非特許文献】
【０００４】
【非特許文献１】３ＧＰＰ  ＴＳ３６.３００（Ｖ１０.０.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２０１０年６月
【非特許文献２】３ＧＰＰ  ＴＳ３３.４０１（Ｖ９.４.０）、「３ＧＰＰ  Ｓｙｓｔｅｍ  Ａｒｃｈｉｔｅｃｔｕｒｅ  Ｅｖｏｌｕｔｉｏｎ（ＳＡＥ）；Ｓｅｃｕｒｉｔｙ  ａｒｃｈｉｔｅｃｔｕｒｅ」、２０１０年６月
【発明の概要】
【発明が解決しようとする課題】
【０００５】
ＬＴＥ-Ａｄｖａｎｃｅｄ方式では、Ｕｎインターフェイスが用いられる無線区間（以下、Ｕｎ無線区間）において、Ｓ１ＡＰ/Ｘ２ＡＰレイヤのシグナリングは、ＤＲＢ（Ｄａｔａ  Ｒａｄｉｏ  Ｂｅａｒｅｒ）上で、Ｕ-ｐｌａｎｅデータとして送信されるように構成されている。
【０００６】
Ｕｎ無線区間において、ＤＲＢに対して、ＮＤＰ（Ｎｅｔｗｏｒｋ  Ｄｏｍａｉｎ  Ｓｅｃｕｒｉｔｙ）/ＩＰが用いられていない場合には、Ｓ１ＡＰ/Ｘ２ＡＰレイヤのシグナリングに対するセキュリティを強化するために、インテグリティプロテクション（Ｉｎｔｅｇｒｉｔｙ  Ｐｒｏｔｅｃｔｉｏｎ）を行う必要がある。
【０００７】
しかしながら、既存のＬＴＥ-Ａｄｖａｎｃｅｄ方式では、リレーノードＲＮ及び無線基地局ＤｅＮＢが、インテグリティプロテクションを行う必要があるＤＲＢを特定することができないという問題点があった。
【０００８】
そこで、本発明は、上述の課題に鑑みてなされたものであり、インテグリティプロテクションを行う必要があるＤＲＢを特定することができる移動通信方法及び無線基地局を提供することを目的とする。
【課題を解決するための手段】
【０００９】
本発明の第１の特徴は、無線基地局とリレーノードとの間で確立されているデータ無線ベアラ上で、所定プロトコルレイヤのシグナリングを送受信する移動通信方法であって、前記リレーノードのアタッチ処理において、前記データ無線ベアラを設定する工程と、前記リレーノードのアタッチ処理において、該リレーノード及び前記無線基地局に対して、前記データ無線ベアラを通知する工程とを有することを要旨とする。
【００１０】
本発明の第２の特徴は、無線基地局とリレーノードとの間で確立されているデータ無線ベアラ上で、所定プロトコルレイヤのシグナリングを送受信する移動通信方法であって、前記リレーノードのアタッチ処理が完了した後に、前記データ無線ベアラを設定する工程と、前記リレーノードのアタッチ処理が完了した後に、該リレーノード及び前記無線基地局に対して、前記データ無線ベアラを通知する工程とを有することを要旨とする。
【００１１】
本発明の第３の特徴は、無線基地局とリレーノードとの間で確立されているデータ無線ベアラ上で、所定プロトコルレイヤのシグナリングを送受信する移動通信方法であって、前記リレーノードのアタッチ処理において、前記データ無線ベアラを設定する工程と、前記リレーノードのアタッチ処理において、前記無線基地局に対して、前記データ無線ベアラを通知する工程と、前記リレーノードのアタッチ処理が完了した後に、該リレーノードに対して、前記データ無線ベアラを通知する工程とを有することを要旨とする。
【００１２】
本発明の第４の特徴は、リレーノードとの間で確立されているデータ無線ベアラ上で、所定プロトコルレイヤのシグナリングを送受信するように構成されている無線基地局であって、前記リレーノードのアタッチ処理において、前記データ無線ベアラを設定するように構成されており、前記リレーノードのアタッチ処理において、該リレーノードに対して、前記データ無線ベアラを通知するように構成されていることを要旨とする。
【００１３】
本発明の第５の特徴は、リレーノードとの間で確立されているデータ無線ベアラ上で、所定プロトコルレイヤのシグナリングを送受信するように構成されている無線基地局であって、前記リレーノードのアタッチ処理が完了した後に、前記データ無線ベアラを設定するように構成されており、前記リレーノードのアタッチ処理が完了した後に、該リレーノードに対して、前記データ無線ベアラを通知するように構成されていることを要旨とする。
【００１４】
本発明の第６の特徴は、リレーノードとの間で確立されているデータ無線ベアラ上で、所定プロトコルレイヤのシグナリングを送受信するように構成されている無線基地局であって、前記リレーノードのアタッチ処理において、前記データ無線ベアラを設定するように構成されており、前記リレーノードのアタッチ処理が完了した後に、該リレーノードに対して、前記データ無線ベアラを通知するように構成されていることを要旨とする。
【発明の効果】
【００１５】
以上説明したように、本発明によれば、インテグリティプロテクションを行う必要があるＤＲＢを特定することができる移動通信方法及び無線基地局を提供することができる。
【図面の簡単な説明】
【００１６】
【図１】本発明の第１の実施形態に係る移動通信システムの全体構成図である。
【図２】本発明の第１の実施形態に係る移動通信システムのプロトコルスタック図である。
【図３】本発明の第１の実施形態に係る移動通信システムの動作を示すシーケンス図である。
【図４】本発明の第１の実施形態に係る移動通信システムで用いられる「Ｉｎｉｔｉａｌ  Ｃｏｎｔｅｘｔ  Ｓｅｔｕｐ  Ｒｅｑｕｅｓｔ」のフォーマットの一例を示す図である。
【図５】本発明の第１の実施形態に係る移動通信システムで用いられる「ＲＲＣ  Ｃｏｎｎｅｃｔｉｏｎ  Ｒｅｃｏｎｆｉｇｕｒａｔｉｏｎ」のフォーマットの一例を示す図である。
【図６】本発明の第１の実施形態に係る移動通信システムで用いられる「ＲＲＣ  Ｃｏｎｎｅｃｔｉｏｎ  Ｒｅｃｏｎｆｉｇｕｒａｔｉｏｎ」内の「ｒａｄｉｏＲｅｓｏｕｒｃｅＣｏｎｆｉｇＤｅｄｉｃａｔｅｄ」に設定可能な情報要素「ＲａｄｉｏＲｅｓｏｕｒｃｅＣｏｎｆｉｇＤｅｄｉｃａｔｅｄ」のフォーマットの一例を示す図である。
【図７】本発明の第１の実施形態に係る移動通信システムで用いられる「ＲＲＣ  Ｃｏｎｎｅｃｔｉｏｎ  Ｒｅｃｏｎｆｉｇｕｒａｔｉｏｎ」内の「ｒａｄｉｏＲｅｓｏｕｒｃｅＣｏｎｆｉｇＤｅｄｉｃａｔｅｄ」に設定可能な情報要素「ＲａｄｉｏＲｅｓｏｕｒｃｅＣｏｎｆｉｇＤｅｄｉｃａｔｅｄ」内の「ｐｄｃｐ-Ｃｏｎｆｉｇ」に設定可能な情報要素「ＰＤＣＰ-Ｃｏｎｆｉｇ」のフォーマットの一例を示す図である。
【図８】本発明の変更例１に係る移動通信システムの動作を示すシーケンス図である。
【図９】本発明の変更例１に係る移動通信システムで用いられる「Ｃｒｅａｔｅ  Ｂｅａｒｅｒ  Ｃｏｎｔｅｘｔ」のフォーマットの一例を示す図である。
【図１０】本発明の変更例１に係る移動通信システムで用いられる「Ｃｒｅａｔｅ  Ｂｅａｒｅｒ  Ｃｏｎｔｅｘｔ」内の情報要素「Ｂｅａｒｅｒ  Ｃｏｎｔｅｘｔ」のフォーマットの一例を示す図である。
【図１１】本発明の変更例２に係る移動通信システムの動作を示すシーケンス図である。
【発明を実施するための形態】
【００１７】
（本発明の第１の実施形態に係る移動通信システム）
図１乃至図７を参照して、本発明の第１の実施形態に係る移動通信システムについて説明する。
【００１８】
本実施形態に係る移動通信システムは、ＬＴＥ-Ａｄｖａｎｃｅｄ方式の移動通信システムであって、図１に示すように、加入者情報管理サーバＨＳＳ（Ｈｏｍｅ  Ｓｕｂｓｃｒｉｂｅｒ  Ｓｅｒｖｅｒ）と、移動管理ノードＭＭＥ（Ｍｏｂｉｌｉｔｙ  Ｍａｎａｇｅｍｅｎｔ  Ｅｎｔｉｔｙ）と、無線基地局ＤｅＮＢと、リレーノードＲＮと、Ｏ＆Ｍ（Ｏｐｅｒａｔｉｏｎ  ＆  Ｍａｉｎｔｅｎａｎｃｅ）サーバを具備している。
【００１９】
リレーノードＲＮは、Ｕｎインターフェイスを介して無線基地局ＤｅＮＢとの間で無線通信を行い、Ｕｕインターフェイスを介して移動局ＵＥとの間で無線通信を行うように構成されている。
【００２０】
図２に、本実施形態に係る移動通信システムにおいて用いられるプロトコルスタックについて示す。
【００２１】
図２に示すように、移動局ＵＥは、Ｕｕインターフェイスが用いられる無線区間（以下、Ｕｕ無線区間）において、物理（ＰＨＹ）レイヤ機能と、物理（ＰＨＹ）レイヤ機能の上位レイヤ機能として設けられているＭＡＣ（Ｍｅｄｉａ  Ａｃｃｅｓｓ  Ｃｏｎｔｒｏｌ）レイヤ機能と、ＭＡＣレイヤ機能の上位レイヤ機能として設けられているＲＬＣ（Ｒａｄｉｏ  Ｌｉｎｋ  Ｃｏｎｔｒｏｌ）レイヤ機能と、ＲＬＣレイヤ機能の上位レイヤ機能として設けられているＰＤＣＰ（Ｐａｃｋｅｔ  Ｄａｔａ  Ｃｏｎｖｅｒｇｅｎｃｅ  Ｐｒｏｔｏｃｏｌ）レイヤ機能と、ＰＤＣＰレイヤ機能の上位レイヤ機能として設けられているＲＲＣ（Ｒａｄｉｏ  Ｒｅｓｏｕｒｃｅ  Ｃｏｎｔｒｏｌ）レイヤ機能と、ＲＲＣレイヤ機能の上位レイヤ機能として設けられているＮＡＳ（Ｎｏｎ  Ａｃｃｅｓｓ  Ｓｔｒａｔｕｍ）レイヤ機能とを具備している。
【００２２】
また、リレーノードＲＮは、Ｕｕ無線区間において、物理（ＰＨＹ）レイヤ機能と、物理（ＰＨＹ）レイヤ機能の上位レイヤ機能として設けられているＭＡＣレイヤ機能と、ＭＡＣレイヤ機能の上位レイヤ機能として設けられているＲＬＣレイヤ機能と、ＲＬＣレイヤ機能の上位レイヤ機能として設けられているＰＤＣＰレイヤ機能と、ＰＤＣＰレイヤ機能の上位レイヤ機能として設けられているＲＲＣレイヤ機能とを具備している。
【００２３】
さらに、リレーノードＲＮ及び無線基地局ＤｅＮＢは、Ｕｎ無線区間において、物理（ＰＨＹ）レイヤ機能と、物理（ＰＨＹ）レイヤ機能の上位レイヤ機能として設けられているＭＡＣレイヤ機能と、ＭＡＣレイヤ機能の上位レイヤ機能として設けられているＲＬＣレイヤ機能と、ＲＬＣレイヤ機能の上位レイヤ機能として設けられているＰＤＣＰレイヤ機能と、ＰＤＣＰレイヤ機能の上位レイヤ機能として設けられているＩＰ（Ｉｎｔｅｒｎｅｔ  Ｐｒｏｔｏｃｏｌ）レイヤ機能と、ＩＰレイヤ機能の上位レイヤ機能として設けられているＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）レイヤ機能と、ＳＣＴＰＩＰレイヤ機能の上位レイヤ機能として設けられているＳ１ＡＰ/Ｘ２ＡＰレイヤ機能とを具備している。
【００２４】
すなわち、Ｓ１ＡＰ/Ｘ２ＡＰレイヤのシグナリングは、無線基地局ＤｅＮＢとリレーノードＲＮとの間（すなわち、Ｕｎ無線区間）で確立されているＤＲＢ上で送受信されるように構成されている。
【００２５】
また、無線基地局ＤｅＮＢは、移動管理ノードＭＭＥとの間のインターフェイスにおいて、ネットワークレイヤ１（ＮＷ  Ｌ１）機能と、ネットワークレイヤ１機能の上位レイヤ機能として設けられているネットワークレイヤ２（ＮＷ  Ｌ２）機能と、ネットワークレイヤ２機能の上位レイヤ機能として設けられているＩＰレイヤ機能と、ＩＰレイヤ機能の上位レイヤ機能として設けられているＳＣＴＰレイヤ機能と、ＳＣＴＰレイヤ機能の上位レイヤ機能として設けられているＳ１ＡＰ/Ｘ２ＡＰレイヤ機能とを具備している。
【００２６】
同様に、移動管理ノードＭＭＥは、無線基地局ＤｅＮＢはとの間のインターフェイスにおいて、ネットワークレイヤ１（ＮＷ  Ｌ１）機能と、ネットワークレイヤ１機能の上位レイヤ機能として設けられているネットワークレイヤ２（ＮＷ  Ｌ２）機能と、ネットワークレイヤ２機能の上位レイヤ機能として設けられているＩＰレイヤ機能と、ＩＰレイヤ機能の上位レイヤ機能として設けられているＳＣＴＰレイヤ機能と、ＳＣＴＰレイヤ機能の上位レイヤ機能として設けられているＳ１ＡＰ/Ｘ２ＡＰレイヤ機能と、Ｓ１ＡＰ/Ｘ２ＡＰレイヤ機能の上位レイヤ機能として設けられているＮＡＳレイヤ機能とを具備している。
【００２７】
なお、無線基地局ＤｅＮＢ及び移動管理ノードＭＭＥのＩＰレイヤ機能は、ＮＤＳ/ＩＰを用いてもよい。
【００２８】
ここで、本実施形態に係る移動通信システムは、無線基地局ＤｅＮＢとリレーノードＲＮとの間で確立されているＤＲＢのうち、Ｓ１ＡＰ/Ｘ２ＡＰレイヤのシグナリングを送受信するＤＲＢに対して、インテグリティプロテクションを行うように構成されている。
【００２９】
一方、本実施形態に係る移動通信システムは、無線基地局ＤｅＮＢとリレーノードＲＮとの間で確立されているＤＲＢのうち、Ｓ１ＡＰ/Ｘ２ＡＰレイヤのシグナリングを送受信するＤＲＢ以外のＤＲＢに対して、インテグリティプロテクションを行わないように構成されている。
【００３０】
なお、本実施形態に係る移動通信システムでは、Ｓ１ＡＰ/Ｘ２ＡＰレイヤのシグナリングを送受信するＤＲＢは、リレーノードのアタッチ（Ａｔｔａｃｈ）処理において設定されるように構成されている。
【００３１】
また、本実施形態に係る移動通信システムでは、Ｓ１ＡＰ/Ｘ２ＡＰレイヤのシグナリングを送受信するＤＲＢは、リレーノードＲＮのアタッチ処理において、リレーノードＲＮ及び無線基地局ＤｅＮＢに対して通知されるように構成されている。
【００３２】
以下、図３乃至図７を参照して、本実施形態に係る移動通信システムの動作について説明する。
【００３３】
図３に示すように、ステップＳ１００１において、リレーノードＲＮは、無線基地局ＤｅＮＢに対して、「ＲＲＣ  Ｃｏｎｎｅｃｔｉｏｎ  Ｒｅｑｕｅｓｔ」を送信する。
【００３４】
ステップＳ１００２において、無線基地局ＤｅＮＢは、リレーノードＲＮに対して、「ＲＲＣ  Ｃｏｎｎｅｃｔｉｏｎ  Ｓｅｔｕｐ」を送信する。
【００３５】
ステップＳ１００３において、リレーノードＲＮは、無線基地局ＤｅＮＢに対して、「Ａｔｔａｃｈ  Ｒｅｑｕｅｓｔ」を含む「ＲＲＣ  Ｃｏｎｎｅｃｔｉｏｎ  Ｓｅｔｕｐ  Ｃｏｍｐｌｅｔｅ」を送信する。
【００３６】
ステップＳ１００４において、無線基地局ＤｅＮＢは、移動管理ノードＭＭＥに対して、「Ｉｎｉｔｉａｌ  ＵＥ  Ｍｅｓｓａｇｅ」を送信する。
【００３７】
ステップＳ１００５において、「Ａｕｔｈｅｎｔｉｃａｔｉｏｎ/Ｓｅｃｕｒｉｔｙ」処理が行われる。
【００３８】
ステップＳ１００６において、移動管理ノードＭＭＥは、無線基地局ＤｅＮＢに対して、「Ａｔｔａｃｈ  Ａｃｃｅｐｔ」を含む「Ｉｎｉｔｉａｌ  Ｃｏｎｔｅｘｔ  Ｓｅｔｕｐ  Ｒｅｑｕｅｓｔ」を送信する。
【００３９】
ここで、移動管理ノードＭＭＥは、デフォルトベアラに加えて、Ｓ１ＡＰ/Ｘ２ＡＰレイヤのシグナリングを送受信するＤＲＢを設定するように要求する。かかる場合、移動管理ノードＭＭＥは、設定するベアラのうち、どのベアラが、Ｓ１ＡＰ/Ｘ２ＡＰレイヤのシグナリングを送受信するＤＲＢであるかについて、「Ｉｎｉｔｉａｌ  Ｃｏｎｔｅｘｔ  Ｓｅｔｕｐ  Ｒｅｑｕｅｓｔ」によって、無線基地局ＤｅＮＢに通知する。
【００４０】
例えば、図４に示すように、移動管理ノードＭＭＥは、「Ｉｎｉｔｉａｌ  Ｃｏｎｔｅｘｔ  Ｓｅｔｕｐ  Ｒｅｑｕｅｓｔ」内の情報要素「Ｅ-ＲＡＢ  ｔｏ  Ｂｅ  Ｓｅｔｕｐ  Ｌｉｓｔ」内の「Ｅ-ＲＡＢ  ｔｏ  Ｂｅ  Ｓｅｔｕｐ  Ｉｔｅｍ  ＩＥｓ」内の「Ｆｏｒ  Ｓ１/Ｘ２-ＡＰ」によって、該当するベアラが、Ｓ１ＡＰ/Ｘ２ＡＰレイヤのシグナリングを送受信するＤＲＢであるか否かについて通知することができる。
【００４１】
ステップＳ１００７において、無線基地局ＤｅＮＢは、リレーノードＲＮに対して、「ＲＲＣ  ＵＥ（ＲＮ）  Ｃａｐａｂｉｌｉｔｙ  Ｅｎｑｕｉｒｙ」を送信する。
【００４２】
ステップＳ１００８において、リレーノードＲＮは、無線基地局ＤｅＮＢに対して、「ＲＲＣ  ＵＥ（ＲＮ）  Ｃａｐａｂｉｌｉｔｙ  Ｉｎｆｏｒｍａｔｉｏｎ」を送信する。
【００４３】
ステップＳ１００９において、無線基地局ＤｅＮＢは、移動管理ノードＭＭＥに対して、「ＵＥ（ＲＮ）  Ｃａｐａｂｉｌｉｔｙ  Ｉｎｆｏ  Ｉｎｄｉｃａｔｉｏｎ」を送信する。
【００４４】
無線基地局ＤｅＮＢは、リレーノードＲＮに対して、ステップＳ１０１０において、「Ｓｅｃｕｒｉｔｙ  Ｍｏｄｅ  Ｃｏｍｍａｎｄ」を送信し、ステップＳ１０１１において、「Ａｔｔａｃｈ  Ａｃｃｅｐｔ」を含む「ＲＲＣ  Ｃｏｎｎｅｃｔｉｏｎ  Ｒｅｃｏｎｆｉｇｕｒａｔｉｏｎ」を送信する。
【００４５】
ここで、無線基地局ＤｅＮＢは、設定するベアラのうち、どのベアラが、Ｓ１ＡＰ/Ｘ２ＡＰレイヤのシグナリングを送受信するＤＲＢ（すなわち、インテグリティプロテクションを行う必要があるＤＲＢ）であるかについて、「ＲＲＣ  Ｃｏｎｎｅｃｔｉｏｎ  Ｒｅｃｏｎｆｉｇｕｒａｔｉｏｎ」によって、リレーノードＲＮに通知する。
【００４６】
例えば、図５乃至図７に示すように、無線基地局ＤｅＮＢは、「ＲＲＣ  Ｃｏｎｎｅｃｔｉｏｎ  Ｒｅｃｏｎｆｉｇｕｒａｔｉｏｎ」内に設定可能な情報要素「ＲａｄｉｏＲｅｓｏｕｒｃｅＣｏｎｆｉｇＤｅｄｉｃａｔｅｄ」内に設定可能な情報要素「ＰＤＣＰ-Ｃｏｎｆｉｇ」内の「ｉｎｔｅｇｒｉｔｙＰｒｏｔｅｃｔｉｏｎＲｅｑｕｉｒｅｄ-ｒ９」によって、上述の通知を行う。
【００４７】
リレーノードＲＮは、無線基地局ＤｅＮＢに対して、ステップＳ１０１２において、「Ｓｅｃｕｒｉｔｙ  Ｍｏｄｅ  Ｃｏｍｐｌｅｔｅ」を送信し、ステップＳ１０１３において、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００４８】
ここで、例えば、リレーノードＲＮは、３ＧＰＰのＴＳ３３.４０１の規定に従って、インテグリティプロテクションを行う必要があるＤＲＢについて、鍵ＫｅＮＢ、鍵ＫＲＲＣ_ｅｎｃ、鍵ＫＲＲＣ_ｉｎｔ、鍵ＫＵＰ_ｅｎｃと同様に、鍵ＫＳ１Ｘ２_ｉｎｔを生成し、同様に、無線基地局ＤｅＮＢは、３ＧＰＰのＴＳ３３.４０１の規定に従って、インテグリティプロテクションを行う必要があるＤＲＢについて、鍵ＫｅＮＢ、鍵ＫＲＲＣ_ｅｎｃ、鍵ＫＲＲＣ_ｉｎｔ、鍵ＫＵＰ_ｅｎｃと同様に、鍵ＫＳ１Ｘ２_ｉｎｔを生成する。
【００４９】
ステップＳ１０１４において、無線基地局ＤｅＮＢは、移動管理ノードＭＭＥに対して、「Ｉｎｉｔｉａｌ  Ｃｏｎｔｅｘｔ  Ｓｅｔｕｐ  Ｒｅｓｐｏｎｓｅ」を送信する。
【００５０】
ステップＳ１０１５において、リレーノードＲＮは、移動管理ノードＭＭＥに対して、「Ａｔｔａｃｈ  Ｃｏｍｐｌｅｔｅ」を送信する。
【００５１】
リレーノードＲＮは、ステップＳ１０１６において、Ｏ＆Ｍサーバから、リレーノードの設定情報（Ｎｏｄｅ  Ｃｏｎｆｉｇｕｒａｔｉｏｎ）をダウンロードし、ステップＳ１０１７において、無線基地局ＤｅＮＢとの間で、Ｓ１/Ｘ２インターフェイスを設定する。
【００５２】
本実施形態に係る移動通信システムによれば、リレーノードＲＮのアタッチ処理において、移動管理ノードＭＭＥは、無線基地局ＤｅＮＢに対して、「Ｉｎｉｔｉａｌ  Ｃｏｎｔｅｘｔ  Ｓｅｔｕｐ  Ｒｅｑｕｅｓｔ」によって、Ｓ１ＡＰ/Ｘ２ＡＰレイヤのシグナリングを送受信するＤＲＢを通知し、無線基地局ＤｅＮＢは、リレーノードＲＮに対して、「ＲＲＣ  Ｃｏｎｎｅｃｔｉｏｎ  Ｒｅｃｏｎｆｉｇｕｒａｔｉｏｎ」によって、Ｓ１ＡＰ/Ｘ２ＡＰレイヤのシグナリングを送受信するＤＲＢ（すなわち、インテグリティプロテクションを行う必要があるＤＲＢ）を通知することができる。
【００５３】
（変更例１）
以下、図８乃至図１０を参照して、変更例１に係る移動通信システムについて、上述の第１の実施形態に係る移動通信システムとの相違点に着目して説明する。
【００５４】
本変更例１に係る移動通信システムでは、Ｓ１ＡＰ/Ｘ２ＡＰレイヤのシグナリングを送受信するＤＲＢは、リレーノードのアタッチ処理が完了した後に設定されるように構成されている。
【００５５】
また、本変更例１に係る移動通信システムでは、Ｓ１ＡＰ/Ｘ２ＡＰレイヤのシグナリングを送受信するＤＲＢは、リレーノードＲＮのアタッチ処理が完了した後に、リレーノードＲＮ及び無線基地局ＤｅＮＢに対して通知されるように構成されている。
【００５６】
以下、図８乃至図１０を参照して、本変更例１に係る移動通信システムの動作について説明する。
【００５７】
図８に示すように、ステップＳ２００１乃至Ｓ２０１５の動作は、図３に示すステップＳ１００１乃至Ｓ１０１５の動作と同一である。ただし、ステップＳ２００１乃至Ｓ２０１５に示すリレーノードＲＮのアタッチ処理では、デフォルトベアラが設定されるが、Ｓ１ＡＰ/Ｘ２ＡＰレイヤのシグナリングを送受信するＤＲＢが設定されない。
【００５８】
その後、リレーノードＲＮのアタッチ処理が完了した後に、ステップＳ２０１６において、Ｓ１ＡＰ/Ｘ２ＡＰレイヤのシグナリングを送受信するＤＲＢの設定処理が行われる。
【００５９】
具体的には、図８に示すように、ステップ１において、無線基地局ＤｅＮＢが、移動管理ノードＭＭＥに対して、「ＧＴＰ-Ｃ  Ｃｒｅａｔｅ/Ｕｐｄａｔｅ  Ｂｅａｒｅｒ  Ｒｅｑｕｅｓｔ」を送信し、ステップ２において、移動管理ノードＭＭＥが、無線基地局ＤｅＮＢに対して、「Ｓ１-ＡＰ  Ｂｅａｒｅｒ  Ｃｒｅａｔｅ/Ｍｏｄｉｆｙ  Ｒｅｑｕｅｓｔ」を送信する。
【００６０】
ここで、無線基地局ＤｅＮＢ及び移動管理ノードＭＭＥは、設定するベアラのうち、どのベアラが、Ｓ１ＡＰ/Ｘ２ＡＰレイヤのシグナリングを送受信するＤＲＢであるかについて、「ＧＴＰ-Ｃ  Ｃｒｅａｔｅ/Ｕｐｄａｔｅ  Ｂｅａｒｅｒ  Ｒｅｑｕｅｓｔ」及び「Ｓ１-ＡＰ  Ｂｅａｒｅｒ  Ｃｒｅａｔｅ/Ｍｏｄｉｆｙ  Ｒｅｑｕｅｓｔ」によって通知する。
【００６１】
例えば、図９及び図１０に示すように、無線基地局ＤｅＮＢは、「ＧＴＰ-Ｃ  Ｃｒｅａｔｅ/Ｕｐｄａｔｅ  Ｂｅａｒｅｒ  Ｒｅｑｕｅｓｔ」内の情報要素「Ｂｅａｒｅ  Ｃｏｎｔｅｘｔ」内の「Ｆｏｒ  Ｓ１/Ｘ２-ＡＰ  ｕｓｅ」によって、該当するベアラが、Ｓ１ＡＰ/Ｘ２ＡＰレイヤのシグナリングを送受信するＤＲＢであるか否かについて通知することができる。
【００６２】
ステップ３において、無線基地局ＤｅＮＢは、リレーノードＲＮに対して、「ＲＲＣ  Ｃｏｎｎｅｃｔｉｏｎ  Ｒｅｃｏｎｆｉｇｕｒａｔｉｏｎ」を送信し、リレーノードＲＮは、無線基地局ＤｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００６３】
ここで、上述のように、無線基地局ＤｅＮＢは、設定するベアラのうち、どのベアラが、Ｓ１ＡＰ/Ｘ２ＡＰレイヤのシグナリングを送受信するＤＲＢ（すなわち、インテグリティプロテクションを行う必要があるＤＲＢ）であるかについて、「ＲＲＣ  Ｃｏｎｎｅｃｔｉｏｎ  Ｒｅｃｏｎｆｉｇｕｒａｔｉｏｎ」によって、リレーノードＲＮに通知する。
【００６４】
例えば、図９及び図１０に示すように、無線基地局ＤｅＮＢは、「ＲＲＣ  Ｃｏｎｎｅｃｔｉｏｎ  Ｒｅｃｏｎｆｉｇｕｒａｔｉｏｎ」内に設定可能な情報要素「ＲａｄｉｏＲｅｓｏｕｒｃｅＣｏｎｆｉｇＤｅｄｉｃａｔｅｄ」内に設定可能な情報要素「ＰＤＣＰ-Ｃｏｎｆｉｇ」内の「ｉｎｔｅｇｒｉｔｙＰｒｏｔｅｃｔｉｏｎＲｅｑｕｉｒｅｄ-ｒ９」によって、上述の通知を行う。
【００６５】
或いは、無線基地局ＤｅＮＢは、かかる通知を明示的に行わなくてもよい。かかる場合、リレーノードＲＮは、ステップＳ２０１６によって設定されるベアラは、Ｓ１ＡＰ/Ｘ２ＡＰレイヤのシグナリングを送受信するＤＲＢ（すなわち、インテグリティプロテクションを行う必要があるＤＲＢ）であると判断してもよい。
【００６６】
ステップ４において、無線基地局ＤｅＮＢは、移動管理ノードＭＭＥに対して、「Ｓ１-ＡＰ  Ｂｅａｒｅ  Ｓｅｔｕｐ/Ｍｏｄｉｆｙ  Ｒｅｓｐｏｎｓｅ」を送信する。
【００６７】
ステップ５ａにおいて、リレーノードＲＮは、無線基地局ＤｅＮＢに対して、「Ｄｉｒｅｃｔ  Ｔｒａｎｓｆｅｒ」を送信し、ステップ５ｂにおいて、無線基地局ＤｅＮＢは、移動管理ノードＭＭＥに対して、「Ｄｉｒｅｃｔ  Ｔｒａｎｓｆｅｒ」を送信する。
【００６８】
ステップ６において、移動管理ノードＭＭＥは、無線基地局ＤｅＮＢに対して、「ＧＴＰ-Ｃ  Ｃｒｅａｔｅ/Ｕｐｄａｔｅ  Ｂｅａｒｅｒ  Ｒｅｓｐｏｎｓｅ」を送信する。
【００６９】
以下、ステップＳ２０１７及びＳ２０１８の動作は、図３に示すステップＳ１０１６及びＳ１０１７の動作と同一である。
【００７０】
本変更例１に係る移動通信システムによれば、リレーノードＲＮのアタッチ処理が完了した後に、移動管理ノードＭＭＥは、無線基地局ＤｅＮＢに対して、「Ｓ１-ＡＰ  Ｂｅａｒｅｒ  Ｃｒｅａｔｅ/Ｍｏｄｉｆｙ  Ｒｅｑｕｅｓｔ」によって、Ｓ１ＡＰ/Ｘ２ＡＰレイヤのシグナリングを送受信するＤＲＢを通知し、無線基地局ＤｅＮＢは、リレーノードＲＮに対して、「ＲＲＣ  Ｃｏｎｎｅｃｔｉｏｎ  Ｒｅｃｏｎｆｉｇｕｒａｔｉｏｎ」によって、Ｓ１ＡＰ/Ｘ２ＡＰレイヤのシグナリングを送受信するＤＲＢ（すなわち、インテグリティプロテクションを行う必要があるＤＲＢ）を通知することができる。
【００７１】
（変更例２）
以下、図１１を参照して、変更例２に係る移動通信システムについて、上述の第１の実施形態に係る移動通信システムとの相違点に着目して説明する。
【００７２】
本変更例２に係る移動通信システムでは、Ｓ１ＡＰ/Ｘ２ＡＰレイヤのシグナリングを送受信するＤＲＢは、リレーノードのアタッチ処理において設定されるように構成されている。
【００７３】
また、本変更例１に係る移動通信システムでは、Ｓ１ＡＰ/Ｘ２ＡＰレイヤのシグナリングを送受信するＤＲＢは、リレーノードＲＮのアタッチ処理において、無線基地局ＤｅＮＢに対して通知され、リレーノードＲＮのアタッチ処理が完了した後に、リレーノードＲＮに対して通知されるように構成されている。
【００７４】
以下、図１１を参照して、本変更例２に係る移動通信システムの動作について説明する。
【００７５】
図１１に示すように、ステップＳ３００１乃至Ｓ３０１５の動作は、図３に示すステップＳ１００１乃至Ｓ１０１５の動作と同一である。ただし、ステップＳ３００１乃至Ｓ３０１５に示すリレーノードＲＮのアタッチ処理では、デフォルトベアラに加えて、Ｓ１ＡＰ/Ｘ２ＡＰレイヤのシグナリングを送受信するＤＲＢが設定されるが、かかるＳ１ＡＰ/Ｘ２ＡＰレイヤのシグナリングを送受信するＤＲＢは、リレーノードＲＮに通知されない。
【００７６】
ステップＳ３０１６において、無線基地局ＤｅＮＢは、リレーノードＲＮに対して、「ＲＲＣ  ＲＮ  Ｃｏｎｆｉｇｕｒａｔｉｏｎ」によって、設定されているベアラのうち、どのベアラが、Ｓ１ＡＰ/Ｘ２ＡＰレイヤのシグナリングを送受信するＤＲＢ（すなわち、インテグリティプロテクションを行う必要があるＤＲＢ）であるかについて通知する。
【００７７】
例えば、無線基地局ＤｅＮＢは、リレーノードＲＮに対して、Ｓ１ＡＰ/Ｘ２ＡＰレイヤのシグナリングを送受信するＤＲＢを識別する識別子（ＤＲＢ-ＩＤ）を含む「ＲＲＣ  ＲＮ  Ｃｏｎｆｉｇｕｒａｔｉｏｎ」を送信する。
【００７８】
ステップＳ３０１７において、リレーノードＲＮは、無線基地局ＤｅＮＢに対して、「ＲＲＣ  ＲＮ  Ｃｏｎｆｉｇｕｒａｔｉｏｎ  Ｃｏｍｐｌｅｔｅ」を送信する。
【００７９】
ステップＳ３０１７において、無線基地局ＤｅＮＢとの間で、Ｓ１/Ｘ２インターフェイスを設定する。
【００８０】
本変更例２に係る移動通信システムによれば、リレーノードＲＮのアタッチ処理において、移動管理ノードＭＭＥは、無線基地局ＤｅＮＢに対して、「Ｉｎｉｔｉａｌ  Ｃｏｎｔｅｘｔ  Ｓｅｔｕｐ  Ｒｅｑｕｅｓｔ」等によって、Ｓ１ＡＰ/Ｘ２ＡＰレイヤのシグナリングを送受信するＤＲＢを通知し、リレーノードＲＮのアタッチ処理が完了した後に、無線基地局ＤｅＮＢは、リレーノードＲＮに対して、「ＲＲＣ  ＲＮ  Ｃｏｎｆｉｇｕｒａｔｉｏｎ」によって、Ｓ１ＡＰ/Ｘ２ＡＰレイヤのシグナリングを送受信するＤＲＢ（すなわち、インテグリティプロテクションを行う必要があるＤＲＢ）を通知することができる。
【００８１】
以上に述べた本実施形態の特徴は、以下のように表現されていてもよい。
【００８２】
本実施形態の第１の特徴は、無線基地局ＤｅＮＢとリレーノードＲＮとの間で確立されているＤＲＢ（データ無線ベアラ）上で、Ｓ１ＡＰ/Ｘ２ＡＰレイヤ（所定プロトコルレイヤ）のシグナリングを送受信する移動通信方法であって、リレーノードＲＮのアタッチ処理において、上述のＤＲＢを設定する工程と、リレーノードＲＮのアタッチ処理において、リレーノードＲＮ及び無線基地局ＤｅＮＢに対して、上述のＤＲＢを通知する工程とを有することを要旨とする。
【００８３】
本実施形態の第２の特徴は、無線基地局ＤｅＮＢとリレーノードＲＮとの間で確立されているＤＲＢ上で、Ｓ１ＡＰ/Ｘ２ＡＰレイヤのシグナリングを送受信する移動通信方法であって、リレーノードＲＮのアタッチ処理が完了した後に、上述のＤＲＢを設定する工程と、リレーノードＲＮのアタッチ処理が完了した後に、リレーノードＲＮ及び無線基地局ＤｅＮＢに対して、上述のＤＲＢを通知する工程とを有することを要旨とする。
【００８４】
本実施形態の第３の特徴は、無線基地局ＤｅＮＢとリレーノードＲＮとの間で確立されているＤＲＢ上で、Ｓ１ＡＰ/Ｘ２ＡＰレイヤのシグナリングを送受信する移動通信方法であって、リレーノードＲＮのアタッチ処理において、上述のＤＲＢを設定する工程と、リレーノードＲＮのアタッチ処理において、前記無線基地局に対して、上述のＤＲＢを通知する工程と、リレーノードＲＮのアタッチ処理が完了した後に、リレーノードＲＮに対して、上述のＤＲＢを通知する工程とを有することを要旨とする。
【００８５】
本実施形態の第４の特徴は、リレーノードＲＮとの間で確立されているＤＲＢ上で、Ｓ１ＡＰ/Ｘ２ＡＰレイヤのシグナリングを送受信するように構成されている無線基地局ＤｅＮＢであって、リレーノードＲＮのアタッチ処理において、上述のＤＲＢを設定するように構成されており、リレーノードＲＮのアタッチ処理において、リレーノードＲＮに対して、上述のＤＲＢを通知するように構成されていることを要旨とする。
【００８６】
本実施形態の第５の特徴は、リレーノードＲＮとの間で確立されているＤＲＢ上で、Ｓ１ＡＰ/Ｘ２ＡＰレイヤのシグナリングを送受信するように構成されている無線基地局ＤｅＮＢであって、リレーノードＲＮのアタッチ処理が完了した後に、上述のＤＲＢを設定するように構成されており、リレーノードＲＮのアタッチ処理が完了した後に、リレーノードＲＮに対して、上述のＤＲＢを通知するように構成されていることを要旨とする。
【００８７】
本実施形態の第６の特徴は、リレーノードＲＮとの間で確立されているＤＲＢ上で、Ｓ１ＡＰ/Ｘ２ＡＰレイヤのシグナリングを送受信するように構成されている無線基地局ＤｅＮＢであって、リレーノードＲＮのアタッチ処理において、上述のＤＲＢを設定するように構成されており、リレーノードＲＮのアタッチ処理が完了した後に、リレーノードＲＮに対して、上述のＤＲＢを通知するように構成されていることを要旨とする。
【００８８】
なお、上述の加入者情報管理サーバＨＳＳや移動管理ノードＭＭＥや無線基地局ＤｅＮＢやリレーノードＲＮや移動局ＵＥの動作は、ハードウェアによって実施されてもよいし、プロセッサによって実行されるソフトウェアモジュールによって実施されてもよいし、両者の組み合わせによって実施されてもよい。
【００８９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、加入者情報管理サーバＨＳＳや移動管理ノードＭＭＥや無線基地局ＤｅＮＢやリレーノードＲＮや移動局ＵＥ内に設けられていてもよい。また、かかる記憶媒体及びプロセッサは、ディスクリートコンポーネントとして加入者情報管理サーバＨＳＳや移動管理ノードＭＭＥや無線基地局ＤｅＮＢやリレーノードＲＮや移動局ＵＥ内に設けられていてもよい。
【００９１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９２】
ＵＥ…移動局
ＭＭＥ…移動管理ノード
ＲＮ…リレーノード
ＤｅＮＢ…無線基地局
ＨＳＳ…加入者情報管理サーバ
【図１】
0005296246.tif 000002
【図２】
0005296246.tif 000003
【図３】
0005296246.tif 000004
【図４】
0005296246.tif 000005
【図５】
0005296246.tif 000006
【図６】
0005296246.tif 000007
【図７】
0005296246.tif 000008
【図８】
0005296246.tif 000009
【図９】
0005296246.tif 000010
【図１０】
0005296246.tif 000011
【図１１】
0005296246.tif 000012